(57)【要約】
【課題】　誤搬出を確実に防止することができる花卉運搬台車を提供する。
【解決手段】　底面に車輪が固定された基台の前後部に対向する状態で立設された一対の門型縦枠に複数の棚板が上下間隔変更可能に支持されてなる花卉運搬台車１において、前記一対の門型縦枠３の何れか一方の頂部横桟１１に取付ける誤搬出防止装置２０を、ロック状態において花卉運搬台車１の上縁より上方に突出して荷台覆い付きトラックへの積み込みを阻害する誤搬出防止ロッド２４と、キー操作により誤搬出防止ロッド２４のロック状態を解除するロック装置２３を一体的に備えてなる構成とする。
【選択図】　　　　図２
0003099226.tif 000002
【実用新案登録請求の範囲】
【請求項１】
底面に車輪が固定された基台の前後部に対向する状態で立設された一対の門型縦枠に複数の棚板が上下間隔変更可能に支持されてなる花卉運搬台車において、前記一対の門型縦枠の何れか一方に誤搬出防止装置（20）を設け、前記誤搬出防止装置（20）は、ロック状態において花卉運搬台車（1）の上縁より上方に突出して荷台覆い付きトラックへの積み込みを阻害する誤搬出防止ロッド（24）と、キー操作により誤搬出防止ロッド（24）のロック状態を解除するロック装置（23）とを一体に備えてなることを特徴とする花卉運搬台車。
【請求項２】
底面に車輪が固定された基台の前後部に対向する状態で立設された一対の門型縦枠に複数の棚板が上下間隔変更可能に支持されてなる花卉運搬台車に着脱自在に装着される花卉運搬台車の誤搬出防止装置において、前記一対の門型縦枠の何れか一方に装着されるコの字状の装着金具（21）と、この装着金具（21）のコの字状上面に突設され、ロック状態において花卉運搬台車（1）の上縁より上方に突出して荷台覆い付きトラックへの積み込みを阻害する誤搬出防止ロッド（24）と、前記装着金具（21）のコの字状下面に固設され、キー操作により誤搬出防止ロッド（24）のロック状態を解除するロック装置（23）と、この誤搬出防止ロッド（24）に摺動自在に外嵌された摺動筒（25）と、この摺動筒（25）に設けられ、前記装着金具（21）の開口端付近に設けられたスリット（21a）を挿脱自在に貫通し、前記ロックロッド（23a）の先端が嵌合するロック穴（26a）を有するロックプレート（26）とからなることを特徴とする花卉運搬台車の誤搬出防止装置。
【請求項３】
底面に車輪が固定された基台の前後部に対向する状態で立設された一対の門型縦枠に複数の棚板が上下間隔変更可能に支持されてなる花卉運搬台車に固着される花卉運搬台車の誤搬出防止装置において、前記一対の門型縦枠の何れか一方に固着されるガイド筒（22）と、このガイド筒（22）に摺動自在に嵌挿され、ロック状態において花卉運搬台車（1）の上縁より上方に突出して荷台覆い付きトラックへの積み込みを阻害する誤搬出防止ロッド（24）と、前記ガイド筒（22）に設けられ、キー操作により誤搬出防止ロッド（24）のロック状態を解除するロック装置（23）とからなることを特徴とする花卉運搬台車の誤搬出防止装置。
　
【考案の詳細な説明】
【技術分野】
【０００１】
　本考案は、花卉市場等で取引される園芸植物を運搬する際に使用する花卉運搬台車およびその誤搬出防止装置に関する。
【背景技術】
【０００２】
　近年では、棚板に園芸植物を載置した花卉運搬台車毎トラックに積載し、かつ荷下ろしすることができ、しかも棚板の上下間隔の変更に伴って取外されて余った棚板を花卉運搬台車の基台上に格納し得るようにした構成の花卉運搬台車が用いられるようになってきている。このような花卉運搬台車としては、例えば後述するような構成になるものが知られている。以下、この従来例に係る花卉運搬台車を説明する。
【０００３】
　この従来例に係る花卉運搬台車は、基台と、この基台の前後端面に対向した状態に立設した一対の門型縦枠と、これら一対の門型縦枠に、棚板間隔変更可能に支持された複数の棚板とから構成されている。基台はアルミニウム合金製の角筒により組み立てた枠体の上面にアルミニウム合金製の角波形板により形成した基板が張設され、枠体の下面に複数の車輪が固定されている。これら車輪は、基台の前側底面に固定された、移動方向変換のための一対の旋回型車輪と、基台の後側底面に固定された一対の固定型車輪である。基台の前後方向の寸法と、左右方向の寸法は、フラワーコンテナとトラックの荷台の寸法を考慮して設定されている。上記のような基台の寸法設定により、花卉運搬台車の棚板にフラワーコンテナを効率良く載置することができ、そして花卉運搬台車をトラックの荷台に効率良く積載することができる。
【０００４】
　前記門型縦枠は一対の縦柱を備えており、これら縦柱の上下方向に沿って所定の間隔で、棚板の端部に突設された係合爪が挿入される複数の棚板支持孔が設けられている。これら棚板支持孔の形状は２種類あり、２種類の棚板支持孔は縦柱の上下方向に交互に配置されている。そして、縦柱の基端部には、下端から上方の一定範囲に亘る切欠き溝が設けられており、取外しにより余った棚板の係合爪を収容するように構成されている。さらに、門型縦枠には、複数台の花卉運搬台車を連結して移動させることを可能にするための連結手段が設けられている。
　この連結手段は、一方の門型縦枠に水平軸を介して回動可能に設けられた連結具と、他方の門型縦枠に設けられ、連結具の先端を係止する連結部受け部とから構成されている（例えば、特許文献１参照。）。
【特許文献１】実公平６−２６４６１号公報（第２−３頁、第１−４図）
【０００５】
【考案の開示】
【考案が解決しようとする課題】
【０００６】
　上記従来例に係る花卉運搬台車によれば、上記のとおり、棚板にフラワーコンテナを効率良く載置することができ、そして花卉運搬台車をトラックの荷台に効率良く積載することができる。また、取外しにより余った棚板を基台上に集合させて保管することができるのに加えて、連結手段で連結することにより、複数台の花卉運搬台車を同時に移動させることができるので、現場作業の合理化が図れるという優れた効果がある。
【０００７】
　ところで、上記のような構成の花卉運搬台車は、例えばプランター等の置き台としても使用できるので、花卉を積んだままトラックから荷下ろしして花卉市場に搬入される。そして、空の花卉運搬台車をそのトラックに積み込んで持ち帰るが、管理不行き届きのために、搬入した花卉運搬台車の数よりも持ち帰る台数が多くなる場合がある。そこで、斯かる不都合を防止するため、花卉市場に搬入した花卉運搬台車に、門型縦枠の上縁より上方に突出する、着脱自在な誤搬出防止ロッドを個別の錠前で取付けていた。つまり、誤搬出防止ロッドの存在により、花卉運搬台車を荷台覆い付きトラックに積み込むことができなくなる。しかしながら、誤搬出防止ロッドを個別の錠前で着脱する構成では、錠前の紛失により、誤搬出防止ロッドを取付けることができなくなるという問題があった。
【０００８】
　従って、本考案の目的は、誤搬出を確実に防止することを可能ならしめる花卉運搬台車およびその誤搬出防止装置を提供することである。
【課題を解決するための手段】
【０００９】
　上記課題を解決するために、本考案の請求項１に係る花卉運搬台車は、底面に車輪が固定された基台の前後部に対向する状態で立設された一対の門型縦枠に複数の棚板が上下間隔変更可能に支持されてなる花卉運搬台車において、前記一対の門型縦枠の何れか一方に誤搬出防止装置を設け、前記誤搬出防止装置は、ロック状態において花卉運搬台車の上縁より上方に突出して荷台覆い付きトラックへの積み込みを阻害する誤搬出防止ロッドと、キー操作により誤搬出防止ロッドのロック状態を解除するロック装置とを一体に備えてなることを特徴とするものである。
【００１０】
　本考案の請求項２に係る花卉運搬台車の誤搬出防止装置は、底面に車輪が固定された基台の前後部に対向する状態で立設された一対の門型縦枠に複数の棚板が上下間隔変更可能に支持されてなる花卉運搬台車に着脱自在に装着される花卉運搬台車の誤搬出防止装置において、前記一対の門型縦枠の何れか一方に装着されるコの字状の装着金具と、この装着金具のコの字状上面に突設され、ロック状態において花卉運搬台車の上縁より上方に突出して荷台覆い付きトラックへの積み込みを阻害する誤搬出防止ロッドと、前記装着金具のコの字状下面に固設され、キー操作により誤搬出防止ロッドのロック状態を解除するロック装置と、この誤搬出防止ロッドに摺動自在に外嵌された摺動筒と、この摺動筒に設けられ、前記装着金具の開口端付近に設けられたスリットを挿脱自在に貫通し、前記ロックロッドの先端が嵌合するロック穴を有するロックプレートとからなることを特徴とするものである。
【００１１】
　本考案の請求項３に係る花卉運搬台車の誤搬出防止装置は、底面に車輪が固定された基台の前後部に対向する状態で立設された一対の門型縦枠に複数の棚板が上下間隔変更可能に支持されてなる花卉運搬台車に固着される花卉運搬台車の誤搬出防止装置において、前記一対の門型縦枠の何れか一方に固着されるガイド筒と、このガイド筒に摺動自在に嵌挿され、ロック状態において花卉運搬台車の上縁より上方に突出して荷台覆い付きトラックへの積み込みを阻害する誤搬出防止ロッドと、前記ガイド筒に設けられ、キー操作により誤搬出防止ロッドのロック状態を解除するロック装置とからなることを特徴とするものである。
【考案の効果】
【００１２】
　以上詳述したように、本考案によれば、キーがなければ誤搬出防止装置を取外すことができないから、この誤搬出防止装置の誤搬出防止ロッドが邪魔になって、花卉運搬台車を荷台覆い付きトラックに積載することができない。従って、本考案によれば、誤搬出防止ロッドを個別の錠前で着脱自在に取付ける従来例に係る花卉運搬台車のように、錠前の紛失により誤搬出防止ロッドを取付けることができなくなる虞がないから、花卉運搬台車の誤搬出防止に対して大いに寄与することができるという優れた効果を得ることができる。
【考案を実施するための最良の形態】
【００１３】
　以下、本考案の実施の形態１に係る花卉運搬台車を、添付図面を参照して説明する。図１は花卉運搬台車の正面図、図２は花卉運搬台車の背面図、図３は花卉運搬台車の一部切欠き右側面図、図４は連結手段の連結状態説明図、図５は取外し可能状態を示す誤搬出防止装置の構成説明図、図６は取付け状態を示す誤搬出防止装置の構成説明図である。
【００１４】
　先ず、図１乃至図４を順次参照しながら、本考案の実施の形態１に係る花卉運搬台車の構成を説明する。図に示す符号１は花卉運搬台車であって、この花卉運搬台車１は基台２と、この基台２の前後端部に立設された一対の門型縦枠３と、これら一対の門型縦枠３により支持された複数の棚板４とから構成されている。
　前記基台２はアルミニウム合金製の異形角筒により矩形状に組み立てた枠体５の上面にアルミニウム合金製の角波形板により形成された基板６が張設され、枠体５の下面に４個の車輪７が固定されている。これら車輪７は、一対ずつの旋回型車輪７ａと、固定型車輪７ｂとである。
【００１５】
　前記門型縦枠３は、左右の端縦柱８と、これら左右の端縦柱８の中間の中央縦柱９と、左の端縦柱８と中央縦柱９との間、および中央縦柱９と右の端縦柱８との間の補助縦柱１０を備えている。また、これら縦柱８，９，１０の頂部に架設された頂部横桟１１と、基台２と頂部横桟１１との間に架設された中間上部横桟１２と、この中間上部横桟１２の下方位置に架設された中間下部横桟１３とを備えている。左右の端縦柱８の上下方向に沿って一列の複数の棚板支持孔１４が所定の間隔で設けられており、これらに棚板４の端部に突設された係合爪（各棚板に４つずつ設けられている）４ａが挿入されるようになっている。また、中央縦柱９の上下方向に沿って二列の棚板支持孔１４が所定の間隔で設けられており、これらに棚板４の端部に突設された係合爪４ａが挿入されるようになっている。
　なお、この門型縦枠３を構成する各縦柱８，９，１０および各横桟１１，１２，１３は何れもアルミニウム合金から製造されている。
【００１６】
　そして、前記端縦柱８の基端部に、下端から上方の一定範囲に亘る１つの切欠き溝１５が、前記中央縦柱９の基端部に、下端から上方の一定範囲に亘る２つの切欠き溝１５，１５が設けられており、取外しにより余った棚板４の係合爪を収容するように構成されている。つまり、この花卉運搬台車１の場合には、２枚の棚板４を並列状態に支持し、かつ取外しにより余った棚板４を２列の棚板４を並列状態に基台２の上に格納し得るように構成されている。
【００１７】
　さらに、前記門型縦枠３の中央縦柱９の外面側であって、かつこの中間下部横桟１３の下方位置には、複数台の花卉運搬台車１を連結して移動させることを可能にさせる、後述する構成になる連結手段が設けられている。この連結手段は、不使用時には垂直状態に格納され、使用時には正面側の門型縦枠３の外面側に設けた水平軸１６ａを回動中心として水平状態になるまで回動される連結具１６を備えている。また、背面側の門型縦枠３に設けられ、連結具１６の先端に設けられた連結部１６ｂを係止する連結部係止突起１７を備えている。
【００１８】
　この花卉運搬台車１の背面側の門型縦枠３の頂部横桟１１に、後述する構成になる誤搬出防止装置２０が着脱自在に装着されるようになっている。なお、この実施の形態１の場合、この誤搬出防止装置２０は背面側の門型縦枠３の頂部横桟１１に装着されるが、正面側の門型縦枠３の頂部横桟１１に交互に装着しても良い。また、この花卉運搬台車１を正面側から見て、誤搬出防止装置２０は背面側の門型縦枠３の右側に装着されているが、左側であっても良い。つまり、この誤搬出防止装置２０は、端縦柱８と中央縦柱９の間であればどこに装着してもその機能に何らの相違がないので、その装着位置に限定されるものではない。
【００１９】
　前記誤搬出防止装置２０は、図５および図６に示すように構成されている。即ち、この誤搬出防止装置２０は、背面側の門型縦枠３の頂部横桟１１に着脱自在に装着される、アルミニウム合金製のコの字状の装着金具２１を備えている。この装着金具２１のコの字状下面に、後述するロック装置２３が固着されている。このロック装置２３は、装着金具２１の開口方向に所定量押し込むと押し込まれた位置においてロックされ、キー２３ｂ操作によりロック状態が解除されて装着金具２１の反開口方向に戻るロックロッド２３ａを備えている。
【００２０】
　また、前記装着金具２１のコの字状上面には、アルミニウム合金製の角筒からなる誤搬出防止ロッド２４が突設されており、この誤搬出防止ロッド２４にはアルミニウム合金製の角筒からなる摺動筒２５が外装されている。この摺動筒２５は、装着金具２１と、誤搬出防止ロッド２４の側面に突設されたストッパ２４ｂとの間を自在に摺動し得るように構成されている。この摺動筒２５の側面には、装着金具２１の方向に突出し、ロック装置２３のロックロッド２３ａが嵌合するロック穴２６ａが設けられたロックプレート２６が固着されている。このロックプレート２６は、摺動筒２５を装着金具２１の方向へ摺動させると、装着金具２１の開口端付近に設けられた２個所のスリット２１ａを貫通する。そして、ロックプレート２６の先端がスリット２１ａから突出すると、ロック装置２３のロックロッド２３ａがロック穴２６ａに嵌合するように構成されている。
【００２１】
　つまり、この誤搬出防止装置２０は、装着金具２１の３つの内壁面とロックプレート２６の側面とにより頂部横桟１１に装着される。一方、この誤搬出防止装置２０は、ロックロッド２３ａとロック穴２６ａとの嵌合を解除し、摺動筒２５を反装着金具２１の方向へ摺動させてロックプレート２６をスリット２１ａから抜き出すことにより、頂部横桟１１から取外されるものである。なお、この誤搬出防止装置２０の誤搬出防止ロッド２４はアルミニウム合金製の角筒から構成されているが、丸筒であっても良い。また、この誤搬出防止装置２０は鋼材により構成することができる。しかしながら、誤搬出防止装置２０の重量、防錆等の点を考慮すると、アルミニウム合金で構成する方が好ましい。
【００２２】
　以下、上記構成になる花卉運搬台車の使用態様を説明する。棚板４に園芸植物が載置された花卉運搬台車１がトラックの荷台に積載されて花卉市場に到着すると、ここにおいて花卉運搬台車１をトラックの荷台から下ろす。花卉市場の台車管理者は、空になった持ち帰り待ちの花卉運搬台車１から誤搬出防止装置２０を取り外し、トラックの荷台から下ろされた花卉運搬台車１にその誤搬出防止装置２０を装着する。即ち、ストッパ２４ｂに当接するまで摺動筒２５を上方に摺動させた状態で、装着金具２１を門型縦枠３の頂部横桟１１に装着する。そして、摺動筒２５を下方に摺動させてロックプレート２６の先端側をスリット２１ａから下方に突出させると共に、ロック装置２３のロックロッド２３ａを、例えば指で押し込む。ロックロッド２３ａの押し込みにより、このロックロッド２３ａがロックプレート２６のロック穴２６ａに嵌合し、嵌合した状態でロックロッド２３ａがロックされて戻らなくなる。これにより、誤搬出防止装置２０が頂部横桟１１に装着され、花卉運搬台車１の車輪７の転動面から誤搬出防止ロッド２４の先端までの高さが花卉運搬台車１を運搬するトラックの荷台の面から荷台覆いの天井までの高さより高くなる。
【００２３】
　上記構成になる誤搬出防止装置２０を備えた花卉運搬台車１では、キー２３ｂがなければこの誤搬出防止装置２０を取外すことができないから、この誤搬出防止装置２０の誤搬出防止ロッド２４が邪魔になって、花卉運搬台車１を荷台覆い付きトラックに積載することができない。従って、この誤搬出防止装置２０を備えた花卉運搬台車１によれば、誤搬出防止ロッドを個別の錠前で着脱自在に取付ける従来例に係る花卉運搬台車のように、錠前の紛失により誤搬出防止ロッドを取付けることができなくなる虞がないから、花卉運搬台車１の誤搬出防止に対して大いに寄与することができるという優れた効果を得ることができる。
【００２４】
　次に、本考案の実施の形態２に係る花卉運搬台車を説明する。但し、本実施の形態２が上記実施の形態１と相違するところは、誤搬出防止装置の構成にあり、花卉運搬台車自体の構成は同様であるから、誤搬出防止装置を、その斜視図の図７を参照して説明する。
【００２５】
　図７に示す誤搬出防止装置２０は、花卉運搬台車の頂部横桟１１に直交する状態に固着（溶接による）されるガイド筒２２を備えている。このガイド筒２２はアルミニウム合金製の角筒から構成されており、このガイド筒２２の頂部横桟１１の反対側の面にブラケット２２ｂが水平に突設されると共に、このガイド筒２２の前記ブラケット２２ｂの下方位置にロッド貫通穴２２ａが開けられている。
　そして、前記ブラケット２２ｂの下面にロッド貫通穴２２ａに嵌入するロックロッド２３ａを有するロック装置２３が固着されている。
【００２６】
　前記ガイド筒２２にはアルミニウム合金製の角筒からなる誤搬出防止ロッド２４が上下摺動可能に挿入されている。この誤搬出防止ロッド２４のロック装置２３の固着側の側面の長手方向の２個所に、ガイド筒２２のロッド貫通穴２２ａを貫通したロックロッド２３ａの先端が嵌合するロック部であるロック穴２４ａが設けられている。さらに、この誤搬出防止ロッド２４の１側面の長手方向の２個所にストッパ２４ｂが突設されている。このストッパ２４ｂと前記ロック穴２４ａとの位置関係は後述するように配慮されている。
【００２７】
　なお、本実施の形態２においては、前記ロック穴２４ａは丸穴であるが、例えば誤搬出防止ロッド２４の側面を縦断する角溝であっても良い。また、本実施の形態においては、誤搬出防止ロッド２４の長手方向の２個所にロックロッド２３ａの先端が嵌合するロック穴２４ａが設けられている。しかしながら、ロック穴が１つだけ、詳しくは誤搬出防止ロッド２４を上昇させた位置で固定する下側のロック穴２４ａだけが設けられていれば、花卉運搬台車の誤搬出防止機能を発揮することができる。従って、必ずしも誤搬出防止ロッド２４の長手方向の２個所にロック穴２４ａを設ける必要がないものである。但し、トラックによる運搬中に誤搬出防止ロッド２４ががたついてストッパ２４ｂが損耗するので、誤搬出防止ロッド２４の長手方向の２個所にロック穴２４ａを設けるのが好ましい。
【００２８】
　ストッパ２４ｂとロック穴２４ａとの位置関係は、誤搬出防止ロッド２４が下方に摺動して上側のストッパ２４ｂがガイド筒２２の上端面に当接すると、ロッド貫通穴２２ａを貫通したロックロッド２３ａの先端が上側のロック穴２４ａに嵌合するように設定されている。また、誤搬出防止ロッド２４が上方に摺動して下側のストッパ２４ｂがガイド筒２２の下端面に当接すると、ロッド貫通穴２２ａを貫通したロックロッド２３ａの先端が下側のロック穴２４ａに嵌合することが可能になるように設定されている。
【００２９】
　以下、本実施の形態２に係る作用態様を説明すると、先ずロック装置２３のキー穴にキー２３ｂを差し込んでロックロッド２３ａと誤搬出防止ロッド２４のロック穴２４ａとの嵌合を解除する。次いで、誤搬出防止ロッド２４を上方に摺動させて、下側のストッパ２４ｂをガイド筒２２の下端面に当接させると共に、ロック装置２３のロックロッド２３ａを押し込む。すると、ロックロッド２３ａがロッド貫通穴２２ａを貫通すると共に、ロックロッド２３ａの先端が下側のロック穴２４ａに嵌合し、花卉運搬台車の車輪の転動面から誤搬出防止ロッド２４の先端までの高さが花卉運搬台車を運搬するトラックの荷台の面から荷台覆いの天井までの高さより高くなる位置で誤搬出防止ロッド２４が固定される。
【００３０】
　一方、ロック装置２３のキー穴にキー２３ｂを差し込むと共に、差し込んだキー２３ｂを操作することによりロックロッド２３ａと誤搬出防止ロッド２４のロック穴２４ａとの嵌合を解除する。そして、誤搬出防止ロッド２４を下方に摺動させて上側のストッパ２４ｂをガイド筒２２の上端面に当接させると共に、ロック装置２３のロックロッド２３ａを押し込む。すると、このロックロッド２３ａがロッド貫通穴２２ａを貫通すると共に、ロックロッド２３ａの先端が上側のロック穴２４ａに嵌合し、花卉運搬台車の車輪の転動面から誤搬出防止ロッド２４の先端までの高さが花卉運搬台車を運搬するトラックの荷台の面から荷台覆いの天井までの高さより低くなる位置で誤搬出防止ロッド２４が固定される。
【００３１】
　上記のとおり、本実施の形態２によれば、花卉運搬台車の車輪の転動面から誤搬出防止ロッド２４の先端までの高さがトラックの荷台の上面から荷台覆いの天井までの高さより高くなる位置で誤搬出防止ロッド２４をロック装置２３によりロックすることができる。従って、本実施の形態２によれば、上記実施の形態１と同等の効果を得ることができる。なお、本実施の形態２においては、誤搬出防止装置２０のガイド筒２２を花卉運搬台車の頂部横桟１１に固着したが、中間上部横桟に固着する構成にすることができる。但し、ガイド筒２２を中間下部横桟に固着すると、誤搬出防止ロッド２４を長くする必要があるので、製造コストに関して若干不利になる。
【図面の簡単な説明】
【００３２】
【図１】本考案の実施の形態１に係り、花卉運搬台車の正面図である。
【図２】本考案の実施の形態１に係り、花卉運搬台車の背面図である。
【図３】本考案の実施の形態１に係り、花卉運搬台車の一部切欠き右側面図である。
【図４】本考案の実施の形態１に係り、連結手段の連結状態説明図である。
【図５】本考案の実施の形態１に係り、取外し可能状態を示す誤搬出防止装置の構成説明図である。
【図６】本考案の実施の形態１に係り、取付け状態を示す誤搬出防止装置の構成説明図である。
【図７】本考案の実施の形態２に係り、誤搬出防止装置の構成説明図である。
【符号の説明】
【００３３】
　１…花卉運搬台車、２…基台、３…門型縦枠、４…棚板、４ａ…係合爪、５…枠体、６…基板、７…車輪、７ａ…旋回型車輪、７ｂ…固定型車輪、８…端縦柱、９…中央縦柱、１０…補助縦柱、１１…頂部横桟、１２…中間上部横桟、１３…中間下部横桟、１４…棚板支持孔、１５…切欠き溝、１６…連結具、１６ａ…水平軸、１６ｂ…連結部、１７…連結部係止突起、２０…誤搬出防止装置、２１…装着金具、２１ａ…スリット、２２…ガイド筒、２２ａ…ロッド貫通穴、２２ｂ…ブラケット、２３…ロック装置、２３ａ…ロックロッド、２３ｂ…キー、２４…誤搬出防止ロッド、２４ａ…ロック穴、２４ｂ…ストッパ、２５…摺動筒、２６…ロックプレート、２６ａ…ロック穴
【図１】
0003099226.tif 000003
【図２】
0003099226.tif 000004
【図３】
0003099226.tif 000005
【図４】
0003099226.tif 000006
【図５】
0003099226.tif 000007
【図６】
0003099226.tif 000008
【図７】
0003099226.tif 000009